【事件の表示】
　特願２０１９−１３８３９３号「遊技機」拒絶査定不服審判事件〔令和　１年１０月１７日出願公開、特開２０１９−１７７２７９号〕について、次のとおり審決する。
【結　論】
　本件審判の請求は、成り立たない。
【理　由】
第１　手続の経緯
　本件に係る出願（以下「本願」という。）は、令和１年７月２７日の出願であって、令和２年６月１２日付けで拒絶理由が通知され、同年７月２７日に意見書及び手続補正書が提出され、同年９月１７日に最後の拒絶理由が通知され、同年１１月２０日に意見書及び手続補正書が提出され、同年１２月１６日付け（謄本送達日：令和３年１月５日）で令和２年１１月２０日提出の手続補正書による補正が却下されるともに拒絶査定（以下「原査定」という。）がなされ、これに対し、令和３年４月５日に拒絶査定不服審判の請求がなされると同時に手続補正書が提出されたものである。
第２　補正の却下の決定
［補正の却下の決定の結論］
　令和３年４月５日に提出された手続補正書による補正（以下、「本件補正」という。）を却下する。
［理由］
１　補正の内容
　本件補正は、特許請求の範囲についてする補正を含むものであって、令和２年７月２７日提出の手続補正書によって補正された本件補正前の請求項１に、
「【請求項１】
　複数種類の表示演出を実行可能な表示手段を備える遊技機であって、
　前記複数の表示演出のうちの一つの演出として、第１の表示演出をおこなう場合があり、
　前記複数の表示演出のうちの一つの演出として、第２の表示演出をおこなう場合があり、
　前記第１の表示演出は、複数のリーチ演出選択領域
から
　前記第２の表示演出は、複数のリーチ演出選択領域
から
　前記リーチ演出選択領域は、所定のリーチ演出への発展を示唆するリーチ演出示唆画像を含む領域であり、
　前記第２の領域における前記複数のリーチ演出選択領域は、前記第１の領域における前記複数のリーチ演出選択領域に対応しないリーチ演出選択領域を含んでおり
、
　前記第１の表示演出と前記第２の表示演出とを含む組み合わせ演出がおこなわれる場合があり、
　前記組み合わせ演出では、前記第１の表示演出がおこなわれた後、前記第２の表示演出がおこなわれ、その後、前記第２の領域における前記複数のリーチ演出選択領域のうちの一つのリーチ演出選択領域が選択され、選択されたリーチ演出選択領域に含まれる前記リーチ演出示唆画像が表すリーチ演出がおこなわれる、
　ことを特徴とする遊技機。」とあったものを、
「複数種類の表示演出を実行可能な表示手段を備える遊技機であって、
　前記複数の表示演出のうちの一つの演出として、第１の表示演出をおこなう場合があり、
　前記複数の表示演出のうちの一つの演出として、第２の表示演出をおこなう場合があり、
　前記第１の表示演出は、複数のリーチ演出選択領域
を合算して
　前記第２の表示演出は、複数のリーチ演出選択領域
を合算して
　前記リーチ演出選択領域は、所定のリーチ演出への発展を示唆するリーチ演出示唆画像を含む領域であり、
　前記第２の領域における前記複数のリーチ演出選択領域は、前記第１の領域における前記複数のリーチ演出選択領域に対応しないリーチ演出選択領域を含んでおり
、
　
前記第２の領域における前記複数のリーチ演出選択領域のうち、前記第１の領域における前記複数のリーチ演出選択領域に対応するリーチ演出選択領域は、それぞれ、対応する前記第１の領域における前記複数のリーチ演出選択領域と比較して形状が変化しており、
　
前記第１の領域と前記第２の領域との形状は同じ形状であり、
　前記第１の表示演出と前記第２の表示演出とを含む組み合わせ演出がおこなわれる場合があり、
　前記組み合わせ演出では、前記第１の表示演出がおこなわれた後、前記第２の表示演出がおこなわれ、その後、前記第２の領域における前記複数のリーチ演出選択領域のうちの一つのリーチ演出選択領域が選択され、選択されたリーチ演出選択領域に含まれる前記リーチ演出示唆画像が表すリーチ演出がおこなわれる、
　ことを特徴とする遊技機。」とする補正を含むものである（なお、下線は補正前後の箇所を明示するために合議体が付した。）。
２　補正の適否について
（１） 補正の目的
　ア　本件補正は、本件補正前の請求項１に記載した発明を特定するために必要な事項である「複数のリーチ演出選択領域
から
を合算して
　イ　本件補正は、本件補正前の請求項１に記載した発明を特定するために必要な事項である「複数のリーチ演出選択領域
から
を合算して
　ウ　本件補正は、本件補正前の請求項１に記載した発明を特定するために必要な事項である「リーチ演出選択領域」に関し、「
前記第２の領域における前記複数のリーチ演出選択領域のうち、前記第１の領域における前記複数のリーチ演出選択領域に対応するリーチ演出選択領域は、それぞれ、対応する前記第１の領域における前記複数のリーチ演出選択領域と比較して形状が変化しており、
　エ　本件補正は、本件補正前の請求項１に記載した発明を特定するために必要な事項である「第１の領域」及び「第２の領域」に関し、「
前記第１の領域と前記第２の領域との形状は同じ形状であり、
　オ　上記アないしエからみて、本件補正は、補正前の請求項１に記載された発明と補正後の請求項１に記載された発明の産業上の利用分野及び解決しようとする課題が同一であるので、特許法第１７条の２第５項第２号に掲げる特許請求の範囲の減縮を目的とするものである。
（２）新規事項
　本件補正は、本願の願書に最初に添付した明細書、特許請求の範囲又は図面における【１０４０】、【１０４１】、【１０４５】、【１０４６】、図１５８及び図１５９等の記載に基づくものであり、新たな技術事項を導入するものではないから、特許法第１７条の２第３項に規定する要件を満たす。
３　独立特許要件について
　そこで、本件補正後の請求項１に係る発明（以下「本願補正発明」という。）が、特許出願の際独立して特許を受けることができるものであるか（特許法第１７条の２第６項において準用する同法第１２６条第７項の規定に適合するか）についても、以下、検討する。
（１）本願補正発明
　本願補正発明を再掲すると、次のとおりのものである（なお、ＡないしＬについては、分説するため合議体が付した。以下Ａ等を付した事項を「特定事項Ａ」等という。）。
「Ａ　複数種類の表示演出を実行可能な表示手段を備える遊技機であって、
　Ｂ　前記複数の表示演出のうちの一つの演出として、第１の表示演出をおこなう場合があり、
　Ｃ　前記複数の表示演出のうちの一つの演出として、第２の表示演出をおこなう場合があり、
　Ｄ　前記第１の表示演出は、複数のリーチ演出選択領域を合算して成る第１の領域を表示する演出であり、
　Ｅ　前記第２の表示演出は、複数のリーチ演出選択領域を合算して成る第２の領域を表示する演出であり、
　Ｆ　前記リーチ演出選択領域は、所定のリーチ演出への発展を示唆するリーチ演出示唆画像を含む領域であり、
　Ｇ　前記第２の領域における前記複数のリーチ演出選択領域は、前記第１の領域における前記複数のリーチ演出選択領域に対応しないリーチ演出選択領域を含んでおり、
　Ｈ　前記第２の領域における前記複数のリーチ演出選択領域のうち、前記第１の領域における前記複数のリーチ演出選択領域に対応するリーチ演出選択領域は、それぞれ、対応する前記第１の領域における前記複数のリーチ演出選択領域と比較して形状が変化しており、
　Ｉ　前記第１の領域と前記第２の領域との形状は同じ形状であり、
　Ｊ　前記第１の表示演出と前記第２の表示演出とを含む組み合わせ演出がおこなわれる場合があり、
　Ｋ　前記組み合わせ演出では、前記第１の表示演出がおこなわれた後、前記第２の表示演出がおこなわれ、その後、前記第２の領域における前記複数のリーチ演出選択領域のうちの一つのリーチ演出選択領域が選択され、選択されたリーチ演出選択領域に含まれる前記リーチ演出示唆画像が表すリーチ演出がおこなわれる、
　Ｌ　ことを特徴とする遊技機。」
（２）引用文献の記載事項
　ア　原査定の拒絶の理由に引用文献１として引用され、本願出願前に頒布され又は電気通信回線を通じて公衆に利用可能となった特開２０１２−２３５８２３号公報（平成２４年１２月６日出願公開、以下同じく「引用文献１」という。）には、遊技機（発明の名称）に関し、次の事項が図とともに記載されている（なお、下線は引用発明等の認定に関連する箇所を明示するために合議体が付した。以下同様。）。
（ア）　「【技術分野】
【０００１】
　本発明は、たとえば、パチンコ遊技機やコイン遊技機等で代表される遊技機に関し、特に、遊技者が所定の遊技を行ない、遊技の結果が特定遊技結果となったときに遊技者にとって有利な特定遊技状態に制御する遊技機に関する。
・・・略・・・
【発明が解決しようとする課題】
【０００５】
　しかし、前述のような従来の遊技機においては、実行するリーチ演出が、最初に表示された複数の画像に対応するリーチ演出のうちのいずれかに限定されるので、演出を選択するときの演出態様に変化が乏しいという問題があった。
【０００６】
　本発明は、かかる実情に鑑み考え出されたものであり、その目的は、演出を選択するときの演出態様を変化に富んだものとすることで遊技の興趣を向上させることを可能とする遊技機を提供することである。
【０００７】
（１）　遊技者が所定の遊技を行ない、遊技の結果が特定遊技結果（変動表示結果が大当り表示結果）となったときに遊技者にとって有利な特定遊技状態（大当り遊技状態）に制御する遊技機（パチンコ遊技機１）であって、
　遊技者の操作を受付ける操作手段（プッシュボタン３１Ｂ）と、
　画像を表示する画像表示手段（第１特別図柄表示装置４Ａ、第２特別図柄表示装置４Ｂ、画像表示装置５）と、
　該画像表示手段において、特定演出を選択するための特定画像（演出選択肢５１〜５４）が複数表示される（図７（Ｂ），（Ｃ）、図８（Ｂ），（Ｃ）等の選択肢提示画像）とともに、予め定められた有効期間中に前記操作手段が操作されたことに応じて、表示されている複数の特定画像（演出選択肢５１〜５４）のうちからいずれかの特定画像が選択される（図７（Ｆ）、図８（Ｆ）等の選択状態提示画像）選択演出（リーチ選択演出）を実行するか否かを決定する選択演出決定手段（図１４のＳ２７３，Ｓ２７４）と、
　前記画像表示手段において、該選択演出決定手段の決定結果に基づいて前記選択演出を実行するとともに、該選択演出において選択された前記特定画像に応じた特定演出を実行する特定演出実行手段（図１６のＳ１７２、図１８のＳ５２２，Ｓ５２３、図１９のＳ５４０〜Ｓ５４７、図２６のＳ５４０〜Ｓ５４７Ａ）と、
　前記選択演出において表示する前記特定画像の種類および／または数を、前記有効期間中に変化させるか否かを決定する特定画像変化決定手段（図１４のＳ２７３，Ｓ２７４）と、
　該特定画像変化決定手段により前記有効期間中に変化させる決定がされたときに、前記選択演出において表示されている前記特定画像の種類および／または数を、前記有効期間の途中に設定された変化点（図２０に示す変化点のようなリーチ選択演出の開始時から所定時間（たとえば５秒）が経過したタイミング）から変化させる（図７（Ｄ），（Ｅ）、図８（Ｄ），（Ｅ））特定画像変化手段（図１８のＳ５２３）とを備える。
【０００８】
　このような構成によれば、有効期間中に操作手段が操作されたことに応じて特定演出を選択するための特定画像の種類および／または数が、有効期間の途中に設定された変化点から変化させられるので、有効期間中において操作手段が操作されなかった期間の長さに応じて、操作に応じて選択できる特定画像の種類および／または数が変化する場合が生じる。これにより、有効期間中に操作手段が操作されるタイミングにより特定演出の選択範囲が変化するので、演出を選択するときの演出態様を変化に富んだものとすることができ、これにより、遊技の興趣を向上させることができる。」
（イ）　「【発明を実施するための形態】
【００３０】
　以下、本発明の実施の形態を、図面を参照して説明する。なお、遊技機の一例としてパチンコ遊技機を示すが、本発明はパチンコ遊技機に限られず、コイン遊技機等のその他の遊技機であってもよく、遊技者が所定の遊技を行ない、遊技の結果が特定遊技結果となったときに遊技者にとって有利な特定遊技状態に制御する遊技機であればよい。
【００３１】
　〔第１実施形態〕
　図１は、この実施の形態における
パチンコ遊技機
　・・・略・・・
【００３４】
　遊技盤２における遊技領域の中央付近には、
画像表示装置５が設けられている
画像表示装置５は、
各種の演出画像を表示する表示領域を形成している
（ウ）　「【０１５０】
　次に、本実施の形態において実行される演出の１つとしての
リーチ選択演出
リーチ選択演出は、スーパーリーチを実行するときのリーチ演出を選択するために行なわれる演出であり、画像表示装置５において以下に示すような画像を表示する制御が行なわれるとともに、
【０１５１】
　
図５〜図８は、リーチ選択演出の演出例を示す画像表示装置５の表示画面図である。
【０１５２】
　
図５を参照して、
そして、（Ｂ），（Ｃ）のように、特定演出を選択するための特定画像である３つの演出選択肢５１，５２，５３を提示する表示としての選択肢提示画像が表示される。
【０１５３】
　
第１演出選択肢５１は、Ａリーチの演出に対応した演出選択肢である。第２演出選択肢５２は、Ｂリーチの演出に対応した演出選択肢である。第３演出選択肢５３はＣリーチの演出に対応した演出選択肢である。
【０１５４】
　また、（Ｂ），（Ｃ）のように、選択肢提示画像では、表示された３つの演出選択肢５１，５２，５３のうち、いずれか１つまたは複数の外周を所定幅で囲む画像（付随する画像）であって、演出選択肢を選択する指標となる選択指標画像である選択指標７１が、演出選択肢５１，５２，５３のそれぞれの画像の外周に沿った表示位置で表示される。選択肢提示画像では、演出選択肢５１，５２，５３のうち、選択指標７１が外周に表示されたものが、対応するリーチ演出が選択されるものに該当することが示される。選択指標７１は、演出選択肢５１，５２，５３の各外周を所定順番で巡回して発光表示させるような態様で、各演出選択肢の外周において所定順番で出没表示される。これにより、演出選択肢５１，５２，５３それぞれの外周の表示位置を選択指標７１が順番に移動していくような表示の変化態様で、選択指標７１の表示位置が変化することによって、演出選択肢５１，５２，５３が所定の順番で選択される状態の選択肢提示画像が表示されることとなる。
　・・・略・・・
【０１６１】
　
図７を参照して、スーパーリーチの演出が行なわれるときには、図５（Ａ）〜（Ｃ）と同様の選択要求画像および選択肢提示画像が表示された後、
（Ｅ）のように、４つの演出選択肢５１，５２，５３，５４を提示する表示としての選択肢提示画像が表示される。
第４演出選択肢５４はＤリーチの演出に対応した演出選択肢である。
【０１６２】
　そして、所定の操作有効期間内にプッシュボタン３１Ｂが遊技者により操作されると、その操作に応じて、（Ｆ）のように、選択指標７１の表示位置が変化する表示が停止し、いずれか１つの演出選択肢（図７の場合は第４演出選択肢５４）の外周で選択指標７１が固定的に表示されることで、
１つの演出選択肢が選択指標７１により固定的に選択され、
【０１６３】
　そして、
１つの演出選択肢が選択されたことに基づいて、
選択された演出選択肢に対応するリーチ演出
がスーパーリーチの演出として実行される。
【０１６４】
　図７のようなリーチ選択演出が行なわれれば、提示した演出選択肢の選択状態が、演出選択肢の選択中における所定のタイミングで変更されるので、演出選択肢の選択状態が変化することにより、遊技の興趣を向上させることができる。
　・・・略・・・
【０４００】
　次に、前述した実施の形態により得られる主な効果を説明する。
　（１）　たとえば、図９における第４〜第１１特別リーチ、図２４における第４〜第１１特別リーチが実行されることにより、図７（Ｂ）〜（Ｅ）、図８（Ｂ）〜（Ｅ）に示されるように、操作有効期間中にプッシュボタン３１Ｂが操作されたことに応じてスーパーリーチ演出のような特定演出を選択するための演出選択肢の種類および／または数が、図７（Ｅ）、図８（Ｅ）、図２０に示されるような操作有効期間の途中に設定された変化点から変化させられるので、操作有効期間中において操作がされなかった期間の長さに応じて、操作に応じて選択できる演出選択肢の種類および／または数が変化する場合が生じる。これにより、操作有効期間中に操作がされるタイミングにより、演出の選択範囲が変化するので、演出を選択するときの演出態様を変化に富んだものとすることができ、これにより、遊技の興趣を向上させることができる。」
（エ）　「【図５】
　　
」
（オ）　「【図７】
」
（カ）【０１５０】に「リーチ選択演出は、スーパーリーチを実行するときのリーチ演出を選択するために行なわれる演出であり、画像表示装置５において以下に示すような画像を表示する制御が行なわれるとともに、」と記載され、【０１５１】に「図５〜図８は、リーチ選択演出の演出例を示す画像表示装置５の表示画面図である。」と記載され、【０１５２】に「図５を参照して、・・・（略）・・・そして、（Ｂ），（Ｃ）のように、特定演出を選択するための特定画像である３つの演出選択肢５１，５２，５３を提示する表示としての選択肢提示画像が表示される。」と記載され、図５（Ｂ）ないし（Ｄ）には、３つの演出選択肢５１、５２、５３の画像を表示することが示されていることから、引用文献１には、
リーチ選択演出において、画像表示装置５に、３つの演出選択肢５１、５２、５３の画像を表示
　そして、【０１５０】に「リーチ選択演出は、スーパーリーチを実行するときのリーチ演出を選択するために行なわれる演出であり、画像表示装置５において以下に示すような画像を表示する制御が行なわれるとともに、」と記載され、【０１５２】に「図５を参照して、・・・（略）・・・そして、（Ｂ），（Ｃ）のように、特定演出を選択するための特定画像である３つの演出選択肢５１，５２，５３を提示する表示としての選択肢提示画像が表示される。」と記載され、【０１６１】に「図７を参照して、スーパーリーチの演出が行なわれるときには、図５（Ａ）〜（Ｃ）と同様の選択要求画像および選択肢提示画像が表示された後、・・・（略）・・・、（Ｅ）のように、４つの演出選択肢５１，５２，５３，５４を提示する表示としての選択肢提示画像が表示される。」と記載され、図５（Ｂ）ないし（Ｄ）には、３つの演出選択肢５１、５２、５３の画像を表示することが示され、図７（Ｅ）には、４つの演出選択肢５１、５２、５３、５４の画像を表示することが示されていることから、引用文献１には、
リーチ選択演出において、画像表示装置５に、４つの演出選択肢５１、５２、５３、５４の画像を表示
３つの演出選択肢５１、５２、５３の画像を表示した後、４つの演出選択肢５１、５２、５３、５４の画像を表示
　さらに、【０１５３】に「第１演出選択肢５１」、「第２演出選択肢５２」、「第３演出選択肢５３」との記載があり、【０１６１】に「第４演出選択肢５４」との記載があることから、引用文献１には、
３つの演出選択肢５１、５２、５３の画像として、第１演出選択肢５１の画像、第２演出選択肢５２の画像、第３演出選択肢５３の画像を表示
４つの演出選択肢５１、５２、５３、５４の画像として、第１演出選択肢５１の画像、第２演出選択肢５２の画像、第３演出選択肢５３の画像、第４演出選択肢５４の画像を表示
（キ）　【図５】（Ｂ）、【図７】（Ｂ）、（Ｅ）には、
第１演出選択肢５１の画像は「Ａ」という文字画像を含み、第２演出選択肢５２の画像は「Ｂ」という文字画像を含み、第３演出選択肢５３の画像は「Ｃ」という文字画像を含み、第４演出選択肢５４の画像は「Ｄ」という文字画像を含む
（ク）　上記（ア）ないし（キ）から、引用文献１には、次の発明が記載されている。なお、ａないしｌについては本願補正発明のＡないしＬに概ね対応させて付与し、引用箇所の段落番号等を併記した。
「ａ　各種の演出画像を表示する表示領域を形成している画像表示装置５が設けられる（【００３４】）パチンコ遊技機（【００３１】）であって、
　ｂ、ｄ　リーチ選択演出において、画像表示装置５に、３つの演出選択肢５１、５２、５３の画像を表示し（上記（カ））、第１演出選択肢５１はＡリーチの演出に対応した演出選択肢であり、第２演出選択肢５２はＢリーチの演出に対応した演出選択肢であり、第３演出選択肢５３はＣリーチの演出に対応した演出選択肢であり（【０１５３】）、
　ｃ、ｅ　リーチ選択演出において、画像表示装置５に、４つの演出選択肢５１、５２、５３、５４の画像を表示し（上記（カ））、第１演出選択肢５１はＡリーチの演出に対応した演出選択肢であり、第２演出選択肢５２はＢリーチの演出に対応した演出選択肢であり、第３演出選択肢５３はＣリーチの演出に対応した演出選択肢であり（【０１５３】）、第４演出選択肢５４はＤリーチの演出に対応した演出選択肢であり（【０１６１】）、
　ｆ　Ａリーチの演出に対応する第１演出選択肢５１の画像は「Ａ」という文字画像を含み、Ｂリーチの演出に対応する第２演出選択肢５２の画像は「Ｂ」という文字画像を含み、Ｃリーチの演出に対応する第３演出選択肢５３の画像は「Ｃ」という文字画像を含み、Ｄリーチの演出に対応する第４演出選択肢５４の画像は「Ｄ」という文字画像を含み（【０１５３】、【０１６１】、上記（キ））、
　ｇ、ｈ　３つの演出選択肢５１、５２、５３の画像として、第１演出選択肢５１の画像、第２演出選択肢５２の画像、第３演出選択肢５３の画像を表示し、４つの演出選択肢５１、５２、５３、５４の画像として、第１演出選択肢５１の画像、第２演出選択肢５２の画像、第３演出選択肢５３の画像、第４演出選択肢５４の画像を表示し、（上記（カ））、
　ｊ、ｋ　３つの演出選択肢５１、５２、５３の画像を表示した後、４つの演出選択肢５１、５２、５３、５４の画像を表示し（上記（カ））、１つの演出選択肢が選択指標７１により固定的に選択され（【０１６２】）、１つの演出選択肢が選択されたことに基づいて、選択された演出選択肢に対応するリーチ演出がスーパーリーチの演出として実行される（【０１６３】）、
　ｌ　パチンコ遊技機（【００３１】）。」（以下「引用発明」という。）
　イ　令和２年１２月１６日付けの補正の却下の決定に引用文献２として引用され、本願出願前に頒布され又は電気通信回線を通じて公衆に利用可能となった特開２００９−１１６３２号公報（平成２１年１月２２日出願公開、以下同じく「引用文献２」という。）には、遊技機（発明の名称）に関し、次の事項が図とともに記載されている
（ア）「【技術分野】
【０００１】
　本発明は、始動条件の成立に伴い複数種類の図柄を変動させる図柄変動ゲームを実行する遊技機に関するものである。
　・・・略・・・
【００１２】
　以下、本発明を遊技機の一種であるパチンコ遊技機に具体化した一実施形態を図１〜図１６にしたがって説明する。 図１には、
パチンコ遊技機１０
（イ）「【００３９】
　本実施形態においては、該選択演出の結果として選択されるスーパーリーチを予め定め、該スーパーリーチを含んで構成される
複数種類（本実施形態では、４種類）の選択対象から該スーパーリーチを選択する態様で実行される第１の選択演出
第１の選択演出の実行後、該第１の選択演出の選択対象からスーパーリーチを選択することなく該第１の選択演出を経由して、該第１の選択演出で選択対象となるスーパーリーチとは異なる種類のスーパーリーチから構成される選択対象から遊技者自身にスーパーリーチを自由に選択させる態様で実行される第２の選択演出を備えている。
【００４０】
　そして、
第１の選択演出では、キャラ系リーチＡ，Ｂ，Ｃ，Ｄに登場するキャラクタを示唆するキャラクタの名称である「Ａ」、「Ｂ」、「Ｃ」、「Ｄ」を示すそれぞれの４種類の示唆画像を演出表示装置２８に同時に表示させて（図１５（ｂ）〜（ｅ）参照）、
【００４１】
　また、
第２の選択演出では、ストーリー系リーチＥ，Ｆ，Ｇのストーリー内容を示唆するキャラクタＥ、キャラクタＦ、キャラクタＧを示すそれぞれの３種類の示唆画像を演出表示装置２８に同時に表示させて（図１６（ｂ）〜（ｄ）参照）、これら示唆画像から示唆されるスーパーリーチ（ストーリー系演出）が選択対象となっている旨を遊技者に報知し、演出用ボタン３９の操作に応じて選択対象の中から１の示唆画像を選択させる。第２の選択演出では、選択対象の中から示唆画像を遊技者自身に選択させ、第２の有効期間（第２の選択演出）の終了時に遊技者自身が選択している示唆画像の選択が確定されるようになっている。そして、第２の選択演出で示唆画像の確定後、該第２の選択演出で決定された示唆画像に対応するスーパーリーチが実行される。
【００４２】
　本実施形態において、示唆画像とは、その画像から遊技者がスーパーリーチの種類を連想することができる画像であって、例えば、「Ａ」という画像からキャラクタＡを連想し、リーチ演出としてキャラクタＡが登場するキャラ系リーチＡを連想することができるものである。また、キャラクタＥの示唆画像から、該キャラクタＥに因んだストーリー（例えば、キャラクタＥが装備している「剣」に因んだストーリー）を連想し、リーチ演出としてキャラクタＥに因んだストーリー系リーチＥを連想することができるものである。すなわち、示唆画像とは、リーチ演出（表示演出）の内容に関する要素（キャラクタ、キャラクタ名称、リーチ演出名称若しくはリーチ演出の背景又はこれらの結合で構成される画像）によって構成されるものであり、該示唆画像を遊技者が視認することを以てリーチ演出（表示演出）の種類を連想することができるものである。」
（ウ）「【図１５】
　
」
【図１６】
」
　ウ　令和２年１２月１６日付けの補正の却下の決定に引用文献３として引用され、本願出願前に頒布され又は電気通信回線を通じて公衆に利用可能となった特開２０１４−１６１５８９号公報（平成２６年９月８日出願公開、以下同じく「引用文献３」という。）には、弾球遊技機（発明の名称）に関し、次の事項が図とともに記載されている。
（ア）「【技術分野】
【０００１】
　本発明は、弾球遊技機に関し、特に、演出中に複数の発展先から１つが選択されて当該演出を実行する弾球遊技機に関する。
　・・・略・・・
【０００９】
　以下、本発明の実施の形態における弾球遊技機として、
パチンコ遊技機
（イ）「【００４０】
　ここで、図５の演出パターン決定処理のステップＳ２４で、選択演出と選択肢削減演出を含む特定の演出パターンを選択した場合のリーチ演出について、図７及び図８を用いて詳述する。なお、選択演出とは、複数の選択肢の中から１つが選択される演出を指し、選択肢削減演出とは、複数の選択肢の中から１つが選択されるタイミングで１つが選択されずに選択肢の数を減らす演出が行われるものを指す。また、他の演出パターンを選択した場合のリーチ演出については、説明を省略する。
【００４１】
　まず、図７の（ａ）〜（ｃ）及び図８の（ｊ），（ｋ）を用いて、選択演出を含む演出パターンのリーチ演出の一例について詳述する。図６のステップＳ３５で大当り又は外れリーチと判定されて、ステップＳ３６でリーチ演出を行うこととなった場合、
図柄表示装置２５の表示画面２５Ａ
【００４２】
　当該状態から、本実施の形態の演出パターンのリーチ演出の一例では、まず、左列図柄及び右列図柄が仮停止した状態で小さく表示され、中列図柄が透明かつ高速で小さく変動表示された状態（図示省略）にされた後、図７の（ａ）に示すように、
リーチ演出の発展先を示す選択肢が複数表示される。
表示画面２５Ａが横方向に４分割され、ここに前記したリーチ演出の発展先を示す選択肢として、犬キャラクタ選択肢（星３つ）２０１、猫キャラクタ選択肢（星１つ）２０２、うさぎキャラクタ選択肢（星２つ）２０３、くまキャラクタ選択肢（星４つ）２０４が表示されるようになっている。
　・・・略・・・
【００４８】
　次に、図７の（ａ）〜（ｉ）及び図８の（ｌ）を用いて、選択肢削減演出と選択演出を含む演出パターンのリーチ演出の一例について詳述する。なお、リーチ演出の始めの段階と図７の（ａ）〜（ｃ）に示す演出までは、前記した選択演出を含むパターンのリーチ演出の一例と同様であるので、説明を省略する。
【００４９】
　図７の（ｃ）で指示表示が行われた後、遊技者が指示表示に応じて演出ボタン６Ａを押した場合に、前記したような図８の（ｊ）のように、選択肢の１つが選択される演出の代わりに、図７の（ｄ）に示すように、
選択肢の数を減らすような演出（選択肢削減演出）
選択肢が４つから２つに削減されるものである。
　・・・略・・・
【００５２】
　その後、図７の（ｅ）に示すように、削減された選択肢が消えて空白２０５となった後、図７の（ｆ）に示すように、
残った犬キャラクタ選択肢２０１とくまキャラクタ選択肢２０４の幅が拡がって２つのキャラクタ選択肢２０１，２０４で表示画面２５Ａいっぱいとなる。
・・・略・・・
【００５５】
　その後、遊技者が指示表示に応じて演出ボタン６Ａを押すことにより、図７の（ｉ）に示すように、２つの選択肢のうちの一方が選択される（選択演出）。ここでは、信頼度の高いくまキャラクタ選択肢（星４つ）２０４が選択されるようになっている。このとき、当該選択肢が選択されたことが分かり易いように、通常よりも選択肢全体を光らせる、キャラクタが動く、くまの吠える声がする等の演出があると良い。なお、本実施の形態では、遊技者が指示表示に応じない（すなわち、演出ボタン６Ａを押さない）で一定時間が経過した場合にも、自動的に、図７の（ｉ）に示すように、２つの選択肢のうちの一方が選択される選択演出が行われるようになっている。
【００５６】
　その後、図８の（ｌ）に示すように、選択されたくまキャラクタ選択肢２０４が表示画面２５Ａいっぱいに拡大表示され、くまリーチ演出に発展していく。」
（ウ）「【図７】
」
　エ　上記イ及びウからみて、引用文献２、３には、以下の事項が記載されていると認められる。
「リーチ演出の選択肢を提示する演出を実行可能なパチンコ遊技機において、
　提示する選択肢の数が異なる場合、各選択肢の表示領域を合算した領域の形状は同じとし、該領域内の各選択肢の表示領域の形状が異なるようにした、
　パチンコ遊技機。」（以下「引用文献２及び３記載の技術事項」という。）
（３）対比
　本願補正発明と引用発明とを対比する（見出し（ａ）ないし（ｌ）は、本願補正発明の特定事項ＡないしＬに概ね対応する。）。
（ａ）（ｌ）引用発明のａの「各種の演出画像を表示する表示領域を形成している画像表示装置５」は、本願補正発明の「複数の表示演出を実行可能な表示手段」に相当する。また、引用発明の「パチンコ遊技機」は、本願補正発明の「遊技機」に相当する。
　そうすると、引用発明のａ及びｌは、それぞれ本願補正発明の特定事項Ａ及びＬに相当する。
（ｂ）（ｄ）引用発明のｂ、ｄの「演出選択肢」の「画像」は、リーチ選択演出において表示され、選択肢となる各リーチの演出に対応するものであるから、本願補正発明の「リーチ演出選択領域」に相当する。
　そして、引用発明のｂ、ｄの「３つの演出選択肢５１、５２、５３の画像」を合算したものが、本願補正発明の「複数のリーチ演出選択領域を合算して成る第１の領域」に相当し、引用発明のｂ、ｄの「３つの演出選択肢５１、５２、５３の画像を表示」することは、本願補正発明の「第１の表示演出」に相当する。また、引用発明の「画像表示装置５」（本願補正発明の「表示手段」に相当）では、他の表示演出をおこなう場合もあることは明らかであるから、複数の表示演出のうちの一つの演出として、「３つの演出選択肢５１、５２、５３の画像を表示」すること（本願補正発明の「第１表示演出」に相当）をおこなう場合があるといえる。
　そうすると、引用発明のｂ、ｄは、本願補正発明の特定事項Ｂ及びＤを備えている。
（ｃ）（ｅ）引用発明のｃ、ｅの「４つの演出選択肢５１、５２、５３、５４の画像」を合算したものが、本願補正発明の「複数のリーチ演出選択領域を合算して成る第２の領域」に相当し、引用発明のｃ、ｅの「４つの演出選択肢５１、５２、５３、５４の画像を表示」することは、本願補正発明の「第２の表示演出」に相当する。また、引用発明の「画像表示装置５」（本願補正発明の「表示手段」に相当）では、他の表示演出をおこなう場合もあることは明らかであるから、複数の表示演出のうちの一つの演出として、「４つの演出選択肢５１、５２、５３、５４の画像を表示」すること（本願補正発明の「第２表示演出」に相当）をおこなう場合があるといえる。
　そうすると、引用発明のｃ、ｅは、本願補正発明の特定事項Ｃ及びＥを備えている。
（ｆ）引用発明のｆの「『Ａ』という文字画像」は、Ａリーチの演出に対応する演出選択肢５１の画像に含まれるから、Ａリーチの演出への発展を示唆するものであることは明らかである。同様に、「『Ｂ』という文字画像」、「『Ｃ』という文字画像」、「『Ｄ』という文字画像」は、それぞれ、Ｂリーチの演出、Ｃリーチの演出、Ｄリーチの演出への発展を示唆するものであるといえる。よって、引用発明のｆの「『Ａ』という文字画像」、「『Ｂ』という文字画像」、「『Ｃ』という文字画像」及び「『Ｄ』という文字画像」は、本願補正発明の「リーチ演出示唆画像」に相当する。
　そうすると、引用発明のｆは、本願補正発明の特定事項Ｆを備えている。
（ｇ）引用発明のｇ、ｈの「３つの演出選択肢５１、５２、５３の画像」として表示される「第１演出選択肢５１の画像、第２演出選択肢５２の画像、第３演出選択肢５３の画像」は、本願補正発明の「前記第１の領域における前記複数のリーチ演出選択領域」に相当し、「４つの演出選択肢５１、５２、５３、５４の画像」として表示される「第１演出選択肢５１の画像、第２演出選択肢５２の画像、第３演出選択肢５３の画像、第４演出選択肢５４の画像」は、本願補正発明の「前記第２の領域における前記複数のリーチ演出選択領域」に相当する。
　また、引用発明のｇ、ｈの「第４演出選択肢５４の画像」は、「第１演出選択肢５１の画像、第２演出選択肢５２の画像、第３演出選択肢５３の画像」（本願補正発明の「前記第１の領域における前記複数のリーチ演出選択領域」に相当）には含まれないから、本願補正発明の「前記第１の領域における前記複数のリーチ演出選択領域に対応しないリーチ演出選択領域」に相当する。
　そして、引用発明のｇ、ｈの「第１演出選択肢５１の画像、第２演出選択肢５２の画像、第３演出選択肢５３の画像、第４演出選択肢５４の画像」（本願補正発明の「前記第２の領域における前記複数のリーチ演出選択領域」に相当）は、「第４演出選択肢５４の画像」（本願補正発明の「前記第１の領域における前記複数のリーチ演出選択領域に対応しないリーチ演出選択領域」に相当）を含んでいる。
　そうすると、引用発明のｇ、ｈは、本願補正発明の特定事項Ｇを備えているといえる。
（ｈ）引用発明ｇ、ｈの「第１演出選択肢５１の画像」、「第２演出選択肢５２の画像」及び「第３演出選択肢５３の画像」は、「第１演出選択肢５１の画像、第２演出選択肢５２の画像、第３演出選択肢５３の画像」（本願補正発明の「前記第１の領域における前記複数のリーチ演出選択領域」に相当）にも含まれ、「第１演出選択肢５１の画像、第２演出選択肢５２の画像、第３演出選択肢５３の画像、第４演出選択肢５４の画像」（本願補正発明の「前記第２の領域における前記複数のリーチ演出選択領域」に相当）にも含まれるから、本願補正発明の「前記第２の領域における前記複数のリーチ演出選択領域のうち、前記第１の領域における前記複数のリーチ演出選択領域に対応するリーチ演出選択領域」に相当する。
　そうすると、引用発明のｇ、ｈと、本願発明の「Ｈ　前記第２の領域における前記複数のリーチ演出選択領域のうち、前記第１の領域における前記複数のリーチ演出選択領域に対応するリーチ演出選択領域は、それぞれ、対応する前記第１の領域における前記複数のリーチ演出選択領域と比較して形状が変化しており、」とは、「前記第２の領域における前記複数のリーチ演出選択領域のうち、前記第１の領域における前記複数のリーチ演出選択領域に対応するリーチ演出選択領域を有」する点で共通する。
（ｊ）、（ｋ）引用発明のｊ、ｋの「３つの選択肢５１、５２、５３の画像を表示した後、４つの選択肢５１、５２、５３、５４の画像を表示」することは、本願補正発明の「前記第１の表示演出と前記第２の表示演出とを含む組み合わせ演出がおこなわれる場合があり、」及び「前記組み合わせ演出では、前記第１の表示演出がおこなわれた後、前記第２の表示演出がおこなわれ、」に相当する。
　また、引用発明のｊ、ｋの「１つの演出選択肢が選択指標７１により固定的に選択され」ることは、本願補正発明の「前記第２の領域における前記複数のリーチ演出選択領域のうちの一つのリーチ演出選択領域が選択され、」に相当する。
　さらに、引用発明のｊ、ｋの「１つの演出選択肢が選択されたことに基づいて、選択された演出選択肢に対応するリーチ演出がスーパーリーチの演出として実行される」は、本願補正発明の「選択されたリーチ演出選択領域に含まれる前記リーチ演出示唆画像が表すリーチ演出がおこなわれる」に相当する。
　そうすると、引用発明のｊ、ｋは、本願補正発明の特定事項Ｊ及びＫを備えている。
　以上のとおりであるから、本願補正発明と引用発明とは、
「Ａ　複数種類の表示演出を実行可能な表示手段を備える遊技機であって、
　Ｂ　前記複数の表示演出のうちの一つの演出として、第１の表示演出をおこなう場合があり、
　Ｃ　前記複数の表示演出のうちの一つの演出として、第２の表示演出をおこなう場合があり、
　Ｄ　前記第１の表示演出は、複数のリーチ演出選択領域を合算して成る第１の領域を表示する演出であり、
　Ｅ　前記第２の表示演出は、複数のリーチ演出選択領域を合算して成る第２の領域を表示する演出であり、
　Ｆ　前記リーチ演出選択領域は、所定のリーチ演出への発展を示唆するリーチ演出示唆画像を含む領域であり、
　Ｇ　前記第２の領域における前記複数のリーチ演出選択領域は、前記第１の領域における前記複数のリーチ演出選択領域に対応しないリーチ演出選択領域を含んでおり、
　Ｈ’前記第２の領域における前記複数のリーチ演出選択領域のうち、前記第１の領域における前記複数のリーチ演出選択領域に対応するリーチ演出選択領域を有し、
　Ｊ　前記第１の表示演出と前記第２の表示演出とを含む組み合わせ演出がおこなわれる場合があり、
　Ｋ　前記組み合わせ演出では、前記第１の表示演出がおこなわれた後、前記第２の表示演出がおこなわれ、その後、前記第２の領域における前記複数のリーチ演出選択領域のうちの一つのリーチ演出選択領域が選択され、選択されたリーチ演出選択領域に含まれる前記リーチ演出示唆画像が表すリーチ演出がおこなわれる、
　Ｌ　ことを特徴とする遊技機。」である点で一致し、以下の点で相違する。
・相違点１（特定事項Ｈ）
　「前記第２の領域における前記複数のリーチ演出選択領域のうち、前記第１の領域における前記複数のリーチ演出選択領域に対応するリーチ演出選択領域」は、本願補正発明では、「それぞれ、対応する前記第１の領域における前記複数のリーチ演出選択領域と比較して形状が変化して」いるのに対し、引用発明では、形状が変化していない点。
・相違点２（特定事項Ｉ）
　本願補正発明では、「前記第１の領域と前記第２の領域との形状は同じ形状であ」るのに対し、引用発明では、「３つの演出選択肢５１、５２、５３の画像」を合算したもの（第１の領域）と「４つの演出選択肢５１、５２、５３、５４の画像」を合算したもの（第２の領域）との形状が同じ形状でない点。
（４）判断
　上記相違点１と２は相互に関連するのでまとめて検討する。
　ア　引用文献２、３には、パチンコ遊技機におけるリーチ演出の選択肢を提示する演出において、提示する選択肢の数が異なる場合、各選択肢の表示領域を合算した領域の形状は同じとし、該領域内の各選択肢の表示領域の形状が異なるようにする技術（以下「引用文献２及び３記載の技術事項」という。）が記載されている。
　イ　引用発明と、引用文献２及び３記載の技術事項とは、パチンコ遊技機でリーチ演出を選択するために行われる演出において、リーチ演出の選択肢を提示するという作用・機能が共通するものであるから、引用発明における演出選択肢の提示態様として、引用文献２及び３記載の技術事項を採用し、３つの演出選択肢５１、５２、５３の画像を表示する場合と、４つの演出選択肢５１、５２、５３、５４の画像を表示する場合とで、各演出選択肢の画像を合算した領域の形状を同じとし、該領域内の各演出選択肢画像の形状を異ならせるようになすことは、当業者が容易に想到し得たことである。
　以上のとおり、引用発明において、上記相違点１及び２に係る本願補正発明の特定事項となすことは当業者が引用文献２及び３記載の技術事項に基づいて容易になし得たことである。
　そして、本願補正発明の効果も、引用発明、引用文献２及び３記載の技術事項の奏する作用効果から予測される範囲内のものにすぎない。
（５）請求人の主張について
　請求人は、審判請求書の「（３）本願発明が特許されるべき理由」において、概ね以下のとおり主張している。
「一方、本願発明は、上記構成［４］〜［６］、［８］に示すように、第２の領域における複数のリーチ演出選択領域は、第１の領域における複数のリーチ演出選択領域に対応しないリーチ演出選択領域を含んでおり、第２の領域における複数のリーチ演出選択領域のうち、第１の領域における複数のリーチ演出選択領域に対応するリーチ演出選択領域は、それぞれ、対応する第１の領域における複数のリーチ演出選択領域と比較して形状が変化しており、第１の領域と第２の領域との形状は同じ形状であり、複数のリーチ演出選択領域を合算して成る第１の領域を表示する第１の表示演出がおこなわれた後、複数のリーチ演出選択領域を合算して成る第２の領域を表示する第２の表示演出がおこなわれ、その後、第２の領域における複数のリーチ演出選択領域のうちの一つのリーチ演出選択領域が選択され、選択されたリーチ演出選択領域に含まれるリーチ演出示唆画像が表すリーチ演出がおこなわれます。
　この構成によれば、第１の領域と第２の領域とが同じ形状であり、かつ、第２の領域において第１の領域におけるリーチ演出選択領域に対応する対応リーチ演出選択領域が存在し、当該対応リーチ演出選択領域の形状が変化することで、第２の領域における対応リーチ演出選択領域の変化を遊技者が認識し易くすることでき、対応リーチ演出選択領域の変化によって大当たり期待度の向上を強調することができます。さらには、第１の領域と第２の領域とが同じ形状であり、かつ、第２の領域において第１の領域におけるリーチ演出選択領域に対応しないリーチ演出選択領域を含むことで、第２の領域における当該リーチ演出選択領域の出現を遊技者が認識し易くすることができ、当該リーチ演出選択領域の出現によって大当たり期待度の向上を強調することができます。従って、リーチ演出に至る前の演出についても興趣性を高めることができ、転じて、リーチ演出の興趣性も高めることができます。その結果、遊技の興趣を向上させることができます。
　引用文献１〜３には、このような構成、作用・効果（技術思想）は、開示も示唆もされておらず、引用文献１〜３を組み合わせても本願発明には想到することができません。
　以上のように、当業者は、構成［４］〜［６］、［８］を有する本願発明を想到し得ません。」
　しかしながら、上記（４）で示したとおり、引用文献２及び３には、提示する選択肢の数が異なる場合、各選択肢の表示領域を合算した領域の形状は同じとし、該領域内の各選択肢の表示領域の形状が異なるようにする技術が記載されており、引用文献１に記載された発明（引用発明）に引用文献２及び３記載の技術事項を適用して本願補正発明のようになすことは、当業者が容易になし得たことである。そして、引用文献２及び３に記載の技術事項のように各選択肢の表示領域を合算した領域の形状を同じとした場合、該領域内の各選択肢の表示領域の数や形状の変化を遊技者が認識しやすくすることができることは明らかであるから、請求人の主張する本願補正発明の効果も、引用文献１に記載された発明及び引用文献２及び３記載の技術事項の奏する作用効果から予測される範囲内のものにすぎない。よって、上記主張は採用できない。
（６）まとめ
　以上のように、本願補正発明は、当業者が、引用発明及び引用文献２及び３記載の技術事項に基いて容易に発明をすることができたものである。
　したがって、本願補正発明は、特許法第２９条第２項の規定により特許出願の際独立して特許を受けることができないものである。
４　むすび
　したがって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１　本願発明
　本件補正は上記第２のとおり却下されたので、本願の請求項１に係る発明は、令和２年７月２７日提出の手続補正書により補正された特許請求の範囲の請求項１に記載された事項により特定されるものであるところ、その請求項１に係る発明（以下、「本願発明」という。）は、上記第２［理由］１（１）に本件補正前の請求項１として記載したとおりのものである。
２　原査定の拒絶の理由の概要
　原査定の拒絶の理由は、概略、以下の理由を含むものである。
（理由１）この出願の令和２年７月２７日提出の手続補正書により補正された下記の請求項に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない。
（理由２）この出願の令和２年７月２７日提出の手続補正書により補正された下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　　　　記
●理由１（新規性）、理由２（進歩性）について
・請求項１
・引用文献等　１
＜引用文献等一覧＞
引用文献１．特開２０１２−２３５８２３号公報
３　引用文献
　引用文献１は、上記第２［理由］３（２）アに記載したとおりである。
４　対比　
　本願発明は、本願補正発明から、特定事項Ｈ及びＩに係る発明特定事項を削除するとともに、「複数のリーチ演出選択領域
を合算して
から
を合算して
から
　そうすると、本願発明と引用発明とは、上記相違点（特定事項Ｈ、Ｉ）が存在しないことになるとともに、その他の特定事項についても相違する点がないから、同一である。
　よって、本願発明は、引用文献１に記載された発明である。
５　むすび
　以上のとおりであるから、本願発明は、特許法第２９条第１項第３号に該当し特許を受けることができない。
　したがって、本願は、拒絶されるべきものである。
　よって、結論のとおり審決する。